(57)【特許請求の範囲】
【請求項１】
前面開口した直方体状の器具本体と、光源を点灯させる点灯装置と、矩形板状の表示パネルおよび前記表示パネルの後面側に配設され上端面に対向配置された前記光源の光を前記表示パネルへ導光する矩形板状の導光板を有し前記器具本体の前面に沿って設けられる矩形板状の表示ユニットとを備え、前記表示ユニットは、上下方向において下端に近づくほど前後方向の厚さ寸法が小さくなるように形成されてなり、前記表示ユニットは、上面および前面がそれぞれ開口され上下方向において下端に近づくほど前後方向の厚さ寸法が小さくなるように形成されたパネルケースを備え、前記表示パネルは、前記パネルケースの上端側から前記表示パネルの両側縁に沿う方向にスライドされて装着され、前記導光板は、前記表示パネルの後面と前記パネルケースの後壁の前面との間に配設され、前記表示パネルの前面よりなる表示面の法線方向が前記器具本体の前方向から斜め下方へ傾いていることを特徴とする表示用照明器具。
【請求項２】
前記表示パネルは、両側縁からそれぞれ後方に向かって突設された側片を連続一体に備え、前記パネルケースおよび前記表示パネルには、前記表示パネルが前記パネルケースに所定の位置までスライドされたときに互いに係合する係合部がそれぞれ形成されてなることを特徴とする請求項１記載の表示用照明器具。
【請求項３】
前記導光板は、上下方向において下端に近づくほど前後方向の厚さ寸法が小さくなるように形成され、前記表示パネルと前記導光板には、互いに凹凸係合する凹凸係合部がそれぞれ形成されてなることを特徴とする請求項１記載の表示用照明器具。
【請求項４】
前記表示パネルは、前記凹凸係合部として係合凹部が形成され、前記導光板は、前記凹凸係合部として係合凸部が形成されてなることを特徴とする請求項３記載の表示用照明器具。
【発明の詳細な説明】
【０００１】
【発明の属する技術分野】
本発明は、天井面や壁面などの施工面に取り付けられる表示用照明器具に関するものである。
【０００２】
【従来の技術】
近年、各種の表示用照明器具において、光源として熱陰極の蛍光灯に比べて小型で輝度の高い冷陰極蛍光灯を用いたものが提供されている。例えば、表示用照明器具の一種である誘導灯においては、光源として冷陰極蛍光灯を用いたいわゆる高輝度誘導灯が提供されている。
【０００３】
この種の高輝度誘導灯としては、図１３に示す構成の内照式の高輝度誘導灯１’が提供されている。図１３に示す高輝度誘導灯１’は、直方体状の器具本体１０’内に冷陰極蛍光灯（図示せず）が配設され、器具本体１０’の前面に矩形板状の表示ユニット２０’が配設されている。図１３に示す高輝度誘導灯１’は、矩形板状であって透光性を有する表示パネル２１と、矩形枠状であって表示パネル２１の全周を囲んで表示パネル２１を保持し器具本体１０’に取着されたパネル枠３３とで表示ユニット２０’が構成され、器具本体１０’が取り付けられる直方体状の取付基台４０が天井面に直付けされている。すなわち、図１３に示す高輝度誘導灯１’は、天井面に固定された直方体状の取付基台４０から、天井面に直交する向きに器具本体１０’および表示ユニット２０’を突出させた形で設置されている。この高輝度誘導灯１’では、器具本体１０’内に配設した上記冷陰極蛍光灯の光が表示パネル２１の前方へ出射されるので、表示パネル２１が光る。
【０００４】
また、この種の高輝度誘導灯としては、図１４に示すように、器具本体１０’の両面に表示ユニット２０’を配設した内照式の高輝度誘導灯１’も提供されている。なお、図１４に示した高輝度誘導灯１’も器具本体１０’が取り付けられる直方体状の取付基台４０が天井面２に直付けされている。
【０００５】
ところで、表示用照明器具は、情報を効果的に伝達するために天井面や壁面における天井面側など人間（観測者）の目線よりも高い位置に取り付けて使用されているのが一般的である。
【０００６】
【発明が解決しようとする課題】
しかしながら、上記各高輝度誘導灯においては、表示パネル２１の前面よりなる表示面の法線方向が器具本体１０’の前方向（図１４中に矢印Ｆで示す正面方向）と一致しているので、観測者にとっては鉛直方向に沿って形成された表示面を斜め下方から見ることになり、視認角度θ（図１４参照）が大きくなるとともに、良好な視認性を得にくいという不具合があった。この種の不具合を解決するために器具本体１０’を施工面に対して傾けて取り付けることも考えられるが、器具本体１０’空間の美観を損なう恐れがあった。また、内照式の高輝度誘導灯１’では、表示パネル２１に上記冷陰極蛍光灯の光を直接的に照射するので、表示パネル２１の表示面の輝度の均整度を高くするのが困難であり、良好な視認性を得にくいという不具合があった。
【０００７】
本発明は上記事由に鑑みて為されたものであり、その目的は、視認性が良好な表示用照明器具を提供することにある。
【０００８】
【課題を解決するための手段】
請求項１の発明は、前面開口した直方体状の器具本体と、光源を点灯させる点灯装置と、矩形板状の表示パネルおよび前記表示パネルの後面側に配設され上端面に対向配置された前記光源の光を前記表示パネルへ導光する矩形板状の導光板を有し前記器具本体の前面に沿って設けられる矩形板状の表示ユニットとを備え、前記表示ユニットは、上下方向において下端に近づくほど前後方向の厚さ寸法が小さくなるように形成されてなり、前記表示ユニットは、上面および前面がそれぞれ開口され上下方向において下端に近づくほど前後方向の厚さ寸法が小さくなるように形成されたパネルケースを備え、前記表示パネルは、前記パネルケースの上端側から前記表示パネルの両側縁に沿う方向にスライドされて装着され、前記導光板は、前記表示パネルの後面と前記パネルケースの後壁の前面との間に配設され、前記表示パネルの前面よりなる表示面の法線方向が前記器具本体の前方向から斜め下方へ傾いていることを特徴とするものであり、矩形板状の表示パネルおよび前記表示パネルの後面側に配設され上端面に対向配置された前記光源の光を前記表示パネルへ導光する矩形板状の導光板を有し前記器具本体の前面に沿って設けられる矩形板状の表示ユニットを備えていることにより、表示パネルの表示面の輝度の均整度が向上し、しかも、前記表示ユニットは、前記表示パネルの前面よりなる表示面の法線方向が前記器具本体の前方向から斜め下方へ傾いているので、視認性が向上し、例えば誘導灯として用いた場合に誘導灯に重要な誘目性を向上させることができる。
【０００９】
また、前記表示ユニットは、上下方向において下端に近づくほど前後方向の厚さ寸法が小さくなるように形成されているので、前記表示ユニットの前後方向の厚さが一定である場合に比べて前記表示ユニットの軽量化および前記表示ユニットの材料の使用量低減を図ることができる。また、前記器具本体を施工面に傾けて取り付ける必要がなく、見栄えよく設置することができる。
【００１０】
また、前記表示ユニットは、上面および前面がそれぞれ開口され上下方向において下端に近づくほど前後方向の厚さ寸法が小さくなるように形成されたパネルケースを備え、前記表示パネルは、前記パネルケースの上端側から前記表示パネルの両側縁に沿う方向にスライドされて装着され、前記導光板は、前記表示パネルの後面と前記パネルケースの後壁の前面との間に配設されているので、ねじや接着材などを用いることなく、前記表示パネルおよび前記導光板をパネルケースにパネルケースの上端側から挿入することにより装着することができる。
【００１１】
請求項２の発明は、請求項１の発明において、前記表示パネルは、両側縁からそれぞれ後方に向かって突設された側片を連続一体に備え且つ前記パネルケースの上端側から前記両側縁に沿う方向にスライドされて装着され、前記パネルケースおよび前記表示パネルには、前記表示パネルが前記パネルケースに所定の位置までスライドされたときに互いに係合する係合部がそれぞれ形成されているので、接着剤やねじなどの別部材を用いることなしに前記表示パネルがパネルケースから外れるのを防ぐことができ、組立作業性が向上する。
【００１２】
請求項３の発明は、請求項１の発明において、前記導光板は、上下方向において下端に近づくほど前後方向の厚さ寸法が小さくなるように形成され、前記表示パネルおよび前記導光板には、互いに凹凸係合する凹凸係合部がそれぞれ形成されているので、前記表示パネルと前記導光板とを簡単に結合することができ、前記表示パネルと前記導光板との相対位置の位置精度が向上し、前記表示パネルの表示面の輝度の均整度を高めることができる。
【００１３】
請求項４の発明は、請求項３の発明において、前記表示パネルは、前記凹凸係合部として係合凹部が形成され、前記導光板は、前記凹凸係合部として係合凸部が形成されているので、前記導光板の成形に伴うゲート跡を前記係合凸部として利用することも可能となる。
【００１４】
【発明の実施の形態】
（実施形態１）
本実施形態では、図１に示す構成の高輝度誘導灯１（以下、誘導灯１と略称する。）を例示する。以下、本実施形態の誘導灯１について図１ないし図４を参照しながら説明する。
【００１５】
本実施形態の誘導灯１は、前面開口した直方体状の器具本体１０と、矩形板状（本実施形態では、正方形状）であって器具本体１０の前面開口の大部分を覆う表示ユニット２０と、光源たる直管形の冷陰極蛍光灯（図示せず）および下方が開放された断面Ｕ字状であって冷陰極蛍光灯を囲んだ反射板（図示せず）を保持し器具本体１０の前面開口のうち表示ユニット２０により覆われていない残りの部分を覆うように表示ユニット２０の上縁に沿って配設されたランプホルダユニット３０とを備えている。なお、器具本体１０内には、上記冷陰極蛍光灯を高周波点灯方式で点灯させる点灯装置（図示せず）、商用電源の停電時に上記点灯装置へ給電するための非常用電源たる蓄電池を有する非常用電源ブロック、上記点灯装置に接続され商用電源からの電源電線を接続する端子台（図示せず）などが収納されており、通常は商用電源により給電されて上記冷陰極蛍光灯が点灯され、商用電源の停電時には蓄電池により給電されて上記冷陰極蛍光灯が点灯されるように構成されている。
【００１６】
器具本体１０は、合成樹脂製であって、上記端子台に接続する商用電源からの電源電線（図示せず）を器具本体１０内に挿入する電線挿通穴を形成する切除可能なノックアウト部（図示せず）が、上壁と後壁とにそれぞれ形成されている。また、器具本体１０の後壁には、壁面に直付けする際に用いる取付ねじを挿通させるねじ挿通孔を形成する切除可能なノックアウト部（図示せず）が形成されている。また、器具本体１０の上壁には、天井面２に直付けする際に用いる取付ねじを挿通するねじ挿通孔を形成する切除可能なノックアウト部（図示せず）が形成されている。したがって、器具本体１０を天井面２に取り付ける場合、壁面に取り付ける場合など、必要に応じて電線挿通源穴およびねじ挿通孔を形成することにより、電源電線が挿通されない電線挿通穴や取付ねじが挿通されないねじ挿通孔が生じるのを防ぐことができ、美観を高めることが可能になる。
【００１７】
表示ユニット２０は、図２に示すように、矩形板状であって避難口へ誘導するためのシンボルが表記され透光性を有するアクリル樹脂製の表示パネル２１と、矩形板状であって表示パネル２１の後面側に配設され上端面に対向配置された上記冷陰極蛍光灯の光を表示パネル２１へ導光する透明なアクリル樹脂製の導光板２２と、表示パネル２１および導光板２２を保持する合成樹脂製のパネルケース２３とで構成されている。なお、表示ユニット２０は、導光板２２の上端面に対向配置した上記冷陰極蛍光灯からの光を導光板２２内での全反射により導光板の下端面側に導きながら導光板２２の後面に設けた光拡散部に入射させ、光拡散部で拡散した光のうち、表示パネル２１へ向かう光を表示パネル２１の前方に出射するものである。また、パネルケース２３は、器具本体１０と同じ材料により形成されている。
【００１８】
ところで、表示ユニット２０の前後方向の幅は一定ではなく、図１（ｂ）に示すように、下端の幅Ｂよりも上端の幅Ａの方が大きく設定されている。要するに、表示ユニット２０は、上下方向において下側ほど前後方向の厚さ寸法が小さくなるように形成されている。したがって、表示パネル２１の前面よりなる表示面の法線方向が器具本体１０の前方向（ここにおける前方向は器具本体１０の正面方向であって器具本体１０の前面に直交する）よりも斜め下方に傾いた方向（図１（ｂ）中に矢印Ｅで示す向き）となるので、観測者にとっては鉛直方向に沿う面から傾いた表示面を斜め下方から見ることになり、良好な視認性が得られる。なお、観測者による視認角度θは従来の高輝度誘導灯１’に比べて小さくなる。
【００１９】
また、導光板２２は、上下方向において下側ほど前後方向の厚さ寸法が小さくなるに形成されている。また、導光板２２の上部の前面には２つの係合凸部たる位置決め突起２２ａ，２２ａが突設されており、表示パネル２１の後面には、位置決め突起２２ａ，２２ａが係合する係合凹部２１ｄ，２１ｄが形成されている。したがって、位置決め突起２２ａ，２２ａが係合凹部２１ｄ，２１ｄに係合することで導光板２２が表示パネル２１に結合され、導光板２２が表示パネル２１に対して位置決めされることになる。なお、表示パネル２１は両側片２１ａ，２１ａの内側面がそれぞれ導光板２２の両側面に当接する。
【００２０】
パネルケース２３は、器具本体１０の左右幅に略等しい左右幅を有し器具本体１０の上下幅よりもやや小さな上下幅を有する正方形状の取付ベース２３ａと、取付ベース２３ａの前面の周部において上辺を除いた３辺に沿って前方へ連続一体に突設された保持枠２３ｂとを備えている。なお、パネルケース２３の後面において左右両端部にはパネルケース２３を器具本体１０の左右両側壁の内側面に突設されたガイド壁（図示せず）に係合するＬ字状の係合突起２４が突設されており、パネルケース２３を器具本体１０の前面に沿って上から下へスライドさせることにより器具本体１０へ取り付けることができるようになっている。
【００２１】
保持枠２３ｂのうち左右両端部に設けられた部位の内面には、表示パネル２１をスライド自在に保持するためのガイド溝２３ｃが上端から下部にわたって形成されている。ここに、保持枠２３ｂの上端縁からは内方へ受け片２３ｇ（図３および図４参照）が延設されている。一方、表示パネル２１は、左右両端縁それぞれから後方に向かって側片２１ａが突設されており、各側片２１ａの外面には、ガイド溝２３ｃにスライド自在に導入されるガイドリブ２１ｂが突設されている。また、ガイドリブ２１ｂの上端部には、先端縁に近づくほどガイドリブ２１ｂからの突出寸法が大きくなる抜け止めリブ２１ｃが突設されており、表示パネル２１および表示パネル２１に結合された導光板２２をパネルケース２３の上方からガイドリブ２１ｂがガイド溝２３ｃに導入されるように挿入して下方にスライドさせ所定位置までスライドすることにより、抜け止めリブ２１ｃの上端縁が受け片２３ｇの下面に係合し、表示パネル２１がパネルケース２３に保持される。ここに、表示パネル２１は、パネルケース２３によって、上下方向、前後方向、および左右方向への移動が規制される。また、表示パネル２１がパネルケース２３の所定の位置まで挿入された際に抜け止めリブ２１ｃが受け片２３ｇに係合する際に音が発生するので、目視せずに表示パネル２１の挿入が終了したことを認識することができ、組立作業性が向上する。なお、抜け止めリブ２１ｃと受け片２３ｇとが、表示パネル２１がパネルケース２３に初手の位置までスライドされたときに互いに係合する係合部を構成している。
【００２２】
ところで、表示パネル２１は、下端に近づくほど側片２１ａの前後方向の幅が小さくなっており、パネルケース２３の保持枠２３ｂのガイド溝２３ｃの前後方向の幅も下側に近づくほど小さくなっているので、表示パネル２１をパネルケース２３の上端側から挿入する際にガイドリブ２１ｃが取付ベース２３ａに略平行になるように挿入しないと表示パネル２１を挿入しにくい（スライドさせにくい）。これに対して、本実施形態では、表示パネル２１が前後を逆にして挿入されないように誤挿入防止片２３ｆ（図３参照）をガイド溝２３ｃの底面から取付ベース２３ａに平行に突設してあるので、表示パネル２１の誤挿入が防止されるとともに、表示パネル２１を誤挿入防止片２３ｆに沿ってガイドリブ２１ｃが取付ベース２３ａに略平行になるように挿入することができるから、パネルケース２３への表示パネル２１の挿入性が向上する。なお、誤挿入防止片２３ｆを設けるにあたってはパネルケース２３の成形品にヒケが発生しないように考慮する必要がある。
【００２３】
しかして、本実施形態の誘導灯１では、矩形板状の表示パネル２１および表示パネル２１の後面側に配設され上端面に対向配置された上記冷陰極蛍光灯の光を表示パネル２１へ導光する矩形板状の導光板２２を有し器具本体１０の前面に沿って設けられる矩形板状の表示ユニット２０を備えていることにより、表示パネル２１の表示面の輝度の均整度が向上し、表示パネル２１の表示面の輝度の均整度が向上し、しかも、表示ユニット２０を、表示パネル２１の前面よりなる表示面の視認性が向上する程度に表示面の法線方向が器具本体１０の前方向から斜め下方へ傾くように形成してあるので、視認性が向上し、誘目性を向上させることができる。また、表示ユニット２０は、上下方向において下端に近づくほど前後方向の厚さ寸法が小さくなるように形成されているので、表示ユニット２０の前後方向の厚さが一定である場合に比べて表示ユニット２０の軽量化および表示ユニット２０の材料の使用量低減を図ることができる。また、器具本体１０を施工面に傾けて取り付けることなく、表示ユニット２０の表示面の法線方向が器具本体１０の前方向から斜め下方へ傾くから、見栄え良く設置することができる。
【００２４】
ところで、表示パネル２１の後面と導光板２２の前面とが密着するブロッキングが起きると、表示パネル２１の表示面の輝度の均整度が低下する現象が起こることがある。この種の不具合をなくすために、本実施形態の誘導灯１においては、導光板２２の前面に透明で微小な突起（図示せず）を略均等に配設してある。なお、この微小な突起の突出高さは数μｍ程度に設定することが望ましい。また、この微小な突起は、印刷やシボ加工などにより形成することができる。したがって、本実施形態においては、表示パネル２１の後面と導光板２２の前面との間に空気層が形成され、表示パネル２１の後面と導光板２２の前面とが密着するのを防ぐことができ、表示パネル２１の表示面の輝度の均整度の低下を防止することができる。
【００２５】
（実施形態２）
本実施形態の誘導灯の基本構成は実施形態１と略同じであって、表示ユニット２０として図５に示す構成のものを用いている点が実施形態１と相違する。なお、実施形態１と同様の構成要素には同一の符号を付して説明を省略する。
【００２６】
以下、本実施形態の誘導灯について図５ないし図１０を参照しながら説明する。
【００２７】
ランプホルダユニット３０は、図６に示すように、器具本体１０の前面側に位置する前板３１ａと、前面板３１ａの上端縁から後方に向かって連続一体に形成された上板３１ｂと、前板３１ａの両側縁からそれぞれ後方に向かって突設された一対の側板３１ｃとが連続一体に形成された合成樹脂製のユニット本体３１を備え、前板３１ａの後方に光源である直管形の冷陰極蛍光灯３が配設され、断面Ｕ字状であって下方が開放された金属製の反射板３２が冷陰極蛍光灯３を囲むように配設されている。ここにおいて、冷陰極蛍光灯３は、導光板２２の上端面に対向配置され、反射板３２は冷陰極蛍光灯３の光を導光板２２の上端面に入光させるように配置されている。なお、ランプホルダユニット３０の構成は実施形態１も同様である。
【００２８】
ところで、表示パネル２１の表示面の輝度を高めるには、冷陰極蛍光灯３から発光された光および反射板３２による反射光を効率良く導光板２２の上端面に入光させることが望ましい。
【００２９】
しかしながら、本実施形態の誘導灯も実施形態１の誘導灯１も器具本体１０に対して表示ユニット２０を取り付けた後に、ランプユニット３０を器具本体１０の前方から取り付けるものであり、導光板２２と反射板３２との間に隙間が形成され、冷陰極蛍光灯３の光が漏れてしまうので、本実施形態では、パネルケース２３の取付ベース２３ａの上端縁の後部から上方へ反射片２３ｄを延設して上述の漏れた光を導光板２２の上端面側へ戻すように構成されており、表示パネル２１の表示面の輝度を高めることができる。なお、この反射片２３ｄは、導光板２２と反射板３２の相対位置関係（導光板２２と反射板３２とが正規の位置に配置される関係）の精度を向上させる機能も有している。
【００３０】
また、表示ユニット２０の部品加工精度とランプユニット３０の部品加工精度との関係上、ランプホルダユニット３０の側板３１ｃの内側面と表示パネル２１の側片２１ａの外側面との間に隙間が形成されてしまうので、本実施形態においては、パネルケース２３の保持枠２３ｂの左右両側の上端面からそれぞれＬ字状の遮光壁２３ｅを突設してあり、遮光壁２３ｅと保持枠２３ｂの上端面とでランプホルダユニット３０の位置決めがなされる。ここに、各遮光壁２３ｅは、矩形領域の角部をなすように設けられており、取付ベース２３ａに平行であってランプホルダユニット３０の前板３１ａの下端部の後面に対向する部分と、取付ベース２３に直交しランプホルダユニット３０の側板３１の下端部の内側面に対向する部分とからなる。したがって、導光板２２の上端部において表示パネル２１の側片２１ａを通ってパネルケース２３側に漏れた光を再び導光板２２側へ戻すことができ、表示パネル２１の表示面の輝度を高めることができる。
【００３１】
また、本実施形態では、導光板２２の後面側に反射シート２５が配設されているが、反射シート２５は、下端縁から前方へ折曲片２５ｂが設けられており、この折曲片２５ｂの上面が導光板２２の下端面に対向配置されるようになっている。したがって、図１０に示すように、反射板２５は、折曲片５ｂの上方から折曲片２５ｂへ到来した光を上方へ反射させるようになっている。この折曲片２５ｂで反射された光は導光板２２の光拡散部（微細加工部）で偏光され表示パネル２１側へ出射される。このような反射シート２５を設けることで、光を効率良く表示パネル２１から出射させることができ、光学性能が向上する。なお、反射シート２５の両側縁には保持枠２３のガイド溝２３ｃに導入される突片２５ｃが突設されており、保持枠２３に対して位置決めされるようになっている。
【００３２】
また、本実施形態における表示ユニット２０は、表示パネル２１の表示面からの発光を制御するために、図５に示すように、表示パネル２１と導光板２２との間に、矩形状の拡散フィルム２６と矩形状のレンズシート２７とを挿入してあるが、拡散フィルム２６およびレンズシート２７は適宜挿入すればよく、実施形態１の誘導灯１に適用してもよいことは勿論である。
【００３３】
レンズシート２７には、導光板２２に突設された２つの位置決め突起２２ａがそれぞれ挿通される挿通孔２７ａ，２７ａが形成され、拡散フィルム２６にも、上記各位置決め突起２２ａ，２２ａがそれぞれ挿通される挿通孔２６ａ，２６ａが形成されているので、導光板２２に対するレンズシート２７および拡散フィルム２６の相対位置関係の精度の向上し、光学性能を高めることができる。
【００３４】
なお、上記各実施形態では、導光板２２の前面に位置決め突起２２ａ，２２ａを突設するとともに表示パネル２１の後面に位置決め突起２２ａ，２２ａが係合する係合凹部２１ｄを形成することにより、接着材やねじなどの別部材を用いることなしに導光板２２と表示パネル２１との位置精度を向上させているが、図１１に示すように、導光板２２の両側面に係合凹部２２ｃを形成し、表示パネル２１の両側片２１ａの内側面に上記係合凹部２２ｃに凹凸係合する係合凸部２１ｅを突設して導光板２２を表示パネル２１に結合することで位置精度を向上させてもよいし、図１２に示すように、導光板２２の両側面に係合凸部２２ｄを突設し、表示パネル２１の両側片２１ａに上記係合凸部２２ｄが係止される係合孔２１ｆを穿孔して導光板２２を表示パネル２１に結合することで位置精度を向上させてもよい。このように、導光板２２が表示パネル２１に結合されていることにより、パネルケース２３に導光板２２の抜け止め構造を設けることなしにパネルケース２３から導光板２２が抜けるのを防ぐことができる。
【００３５】
なお、図１２に示した導光板２２の係合凸部２２ｄとして、導光板２２を成形した後に残るゲート残りを適宜量だけ残してカットしたものを利用すれば、抜け止めのための係合凸部２２ｄを別途に設ける必要がなくなる。
【００３６】
【発明の効果】
請求項１の発明は、前面開口した直方体状の器具本体と、光源を点灯させる点灯装置と、矩形板状の表示パネルおよび前記表示パネルの後面側に配設され上端面に対向配置された前記光源の光を前記表示パネルへ導光する矩形板状の導光板を有し前記器具本体の前面に沿って設けられる矩形板状の表示ユニットとを備え、前記表示ユニットは、上下方向において下端に近づくほど前後方向の厚さ寸法が小さくなるように形成されてなり、前記表示ユニットは、上面および前面がそれぞれ開口され上下方向において下端に近づくほど前後方向の厚さ寸法が小さくなるように形成されたパネルケースを備え、前記表示パネルは、前記パネルケースの上端側から前記表示パネルの両側縁に沿う方向にスライドされて装着され、前記導光板は、前記表示パネルの後面と前記パネルケースの後壁の前面との間に配設され、前記表示パネルの前面よりなる表示面の法線方向が前記器具本体の前方向から斜め下方へ傾いているものであり、矩形板状の表示パネルおよび前記表示パネルの後面側に配設され上端面に対向配置された前記光源の光を前記表示パネルへ導光する矩形板状の導光板を有し前記器具本体の前面に沿って設けられる矩形板状の表示ユニットを備えていることにより、表示パネルの表示面の輝度の均整度が向上し、しかも、前記表示ユニットは、前記表示パネルの前面よりなる表示面の法線方向が前記器具本体の前方向から斜め下方へ傾いているので、視認性が向上し、例えば誘導灯として用いた場合に誘導灯に重要な誘目性を向上させることができるという効果がある。
【００３７】
また、前記表示ユニットは、上下方向において下端に近づくほど前後方向の厚さ寸法が小さくなるように形成されているので、前記表示ユニットの前後方向の厚さが一定である場合に比べて前記表示ユニットの軽量化および前記表示ユニットの材料の使用量低減を図ることができるという効果がある。また、前記器具本体を施工面に傾けて取り付ける必要がなく、見栄えよく設置することができるという効果がある。
【００３８】
また、前記表示ユニットは、上面および前面がそれぞれ開口され上下方向において下端に近づくほど前後方向の厚さ寸法が小さくなるように形成されたパネルケースを備え、前記表示パネルは、前記パネルケースの上端側から前記表示パネルの両側縁に沿う方向にスライドされて装着され、前記導光板は、前記表示パネルの後面と前記パネルケースの後壁の前面との間に配設されているので、ねじや接着材などを用いることなく、前記表示パネルおよび前記導光板をパネルケースにパネルケースの上端側から挿入することにより装着することができるという効果がある。
【００３９】
請求項２の発明は、請求項１の発明において、前記表示パネルは、両側縁からそれぞれ後方に向かって突設された側片を連続一体に備え且つ前記パネルケースの上端側から前記両側縁に沿う方向にスライドされて装着され、前記パネルケースおよび前記表示パネルには、前記表示パネルが前記パネルケースに所定の位置までスライドされたときに互いに係合する係合部がそれぞれ形成されているので、接着剤やねじなどの別部材を用いることなしに前記表示パネルがパネルケースから外れるのを防ぐことができ、組立作業性が向上するという効果がある。
【００４０】
請求項３の発明は、請求項１の発明において、前記導光板は、上下方向において下端に近づくほど前後方向の厚さ寸法が小さくなるように形成され、前記表示パネルおよび前記導光板には、互いに凹凸係合する凹凸係合部がそれぞれ形成されているので、前記表示パネルと前記導光板とを簡単に結合することができ、前記表示パネルと前記導光板との相対位置の位置精度が向上し、前記表示パネルの表示面の輝度の均整度を高めることができるという効果がある。
【００４１】
請求項４の発明は、請求項３の発明において、前記表示パネルは、前記凹凸係合部として係合凹部が形成され、前記導光板は、前記凹凸係合部として係合凸部が形成されているので、前記導光板の成形に伴うゲート跡を前記係合凸部として利用することも可能となるという効果がある。
【図面の簡単な説明】
【図１】実施形態１を示し、（ａ）は斜視図、（ｂ）は天井面に取り付けた状態における側面図である。
【図２】同上における表示ユニットの分解斜視図である。
【図３】図２の要部Ｃの拡大図である。
【図４】同上における要部断面図である。
【図５】実施形態２における表示ユニットの分解斜視図である。
【図６】同上の要部断面図である。
【図７】同上におけるパネルケースの断面図である。
【図８】同上における要部分解斜視図である。
【図９】同上における導光板と反射板との関係説明図である。
【図１０】図９の要部Ｄの拡大図である。
【図１１】同上の他の構成例の要部分解斜視図である。
【図１２】同上の別の構成例の要部分解斜視図である。
【図１３】従来例を示す斜視図である。
【図１４】他の従来例を示し、天井面に取り付けた状態の側面図である。
【符号の説明】
１０  器具本体
２０  表示ユニット
２１  表示パネル
３０  ランプホルダユニット
【図１】
0003721959.tif 000002
【図２】
0003721959.tif 000003
【図３】
0003721959.tif 000004
【図４】
0003721959.tif 000005
【図５】
0003721959.tif 000006
【図６】
0003721959.tif 000007
【図７】
0003721959.tif 000008
【図８】
0003721959.tif 000009
【図９】
0003721959.tif 000010
【図１０】
0003721959.tif 000011
【図１１】
0003721959.tif 000012
【図１２】
0003721959.tif 000013
【図１３】
0003721959.tif 000014
【図１４】
0003721959.tif 000015